(57)【要約】【課題】従来の粘土や樹脂を素材とし、雌型である鋳型に素材を流し込んで製作するのでは生産効率が悪いし、品質感に高級感がなかった。【解決手段】金属類を素材とし、砂型鋳造法により製作された手形・足形の記録体において、人の手形や足形や文字や数字や紋章や記号などの凹部を除く平らな面に研磨仕上げが行なわれた記録体。【選択図】      図１
2005001273.tif 000002
【特許請求の範囲】
【請求項１】
金属で作られた手形・足形の記録体において、人の手形や足形や文字や数字や紋章や記号などの凹んだ所を除く面に研磨仕上げがなされた手形・足形の記録体。
【請求項２】
請求項１記載の手形．・足形の記録体において、全体の厚みが略均一となるべく裏面が抉られた手形・足形の記録体。
【請求項３】
請求項１又は２項に記載の手形・足形の記録体において、前記記録体の異なる面のそれぞれに人の左右の手形がそれぞれ記録された記録体。
【請求項４】
請求項１又は２項に記載の手形・足形の記録体において、形状が略半球形である手形・足形の記録体。
【請求項５】
請求項１又は２項に記載の手形・足形の記録体において、前記記録体が略球状である手形・足形の記録体。
【発明の詳細な説明】
【０００１】
【発明の属する技術分野】
本発明は人の手形・足形の記録体に関する。
【０００２】
【従来の技術】
従来、記念として手形・足形を残す事がよく行われて来た。最も多いのが手や足に墨や絵の具を塗り、これを紙に押し当てて写したもの。又、アメリカのハリウッドではスター達の手形をセメントに直接押し当てて作った板状の物を広場の敷石として使って居る物が有名である。又、粘土に押し当てて出来た物をそのまま窯で焼成したり、この形状を凹型として粘土を圧入して後に窯で焼成した物がある。（例えば、特許文献参考１参照。）。又、鋳型に樹脂を流し込んで硬化させ、後に鋳型より取り出す物がある。（例えば、特許文献参考２参照。）。
【０００３】
【特許文献１】
特開１９８７―１１３５９９号公報    （第１頁）
【特許文献２】
特開１９９９―２９３１５５６号公報    （第１―４頁）
【０００４】
【発明が解決しようとする課題】
従来行われて来た方法の場合、単品製作には問題は無いが数多く製作するには問題点が在る。粘土を焼成して製造するには乾燥しなければならないがこの乾燥がやっかいである。まず時間がかかる点そして乾燥途上での収縮による変形や反りや歪みや割れ等である。生産性は著しく悪い。又、樹脂で製作する場合、鋳型内で硬化させなければならないが、これもある程度時間を必要とする。よって多数の鋳型を必要とする。又、硬化中に有毒性の揮発性物質が生じる。健康上の問題点がある。
【０００５】
本発明に係わる手形・足形の記録体は素材を金属とし表面を研磨加工して成るが、従来のものは上述した様に粘土を焼成した物や樹脂を硬化した物で造られているのでその安易なる製造方法と素材そのものが持つ品質感故に出来上がった物に、重量感や高級な品質感や存在感に乏しく美しくないし安物ぽいし所有感を満足させる気配にも乏しい物となってしまうのは避ける事が出来ない。
【０００６】
【課題を解決するための手段】
本発明では金属を素材として製作されるが、手形・足形の記録体の表面の人の手形や足形や文字や数字や紋章や記号などの凹部所を除く面は研磨仕上げがなされている。そして記録体全体は略均一の厚さとなるように裏面が抉られて軽量化が図れても良い。
【０００７】
さらに、本発明の記録体の本体の形状としては、平板状、立方体状、半球体状、球状とする事ができる。
【０００８】
【発明の実施の形態】
次に本発明の実施の形態を実施例となる図面を参照して説明する。図１は本発明の実施例になる手形の記録体の斜視図である。図２は記録体の厚みを薄くした実施例を示す略断面図である。図３は左右両面に人の手形のある記録体の実施例を示す斜視図である。図４は半球状をなす人の手形のある記録体の実施例を示す斜視図である。図５は球状をなす人の手形のある記録体の実施例を示す斜視図である。本発明における記録体１は図１から図５に示すように金属でもって製作されるがその材質はアルミ合金や銅系合金やマグネシュウム合金などが適している。そして、記録体１の表面には手形の凹部２や文字の凹部３が形成されており、凹部２，３以外の面は研磨仕上げがなされている。この発明で述べる研磨仕上げとは、鏡面仕上げや艶消し仕上げなど表面を平滑に見かけよく仕上げたものを言う。鋳造の際は砂型鋳造法で製作されるが鋳型は砂である為何度も再利用されるし多数の製作にも容易に対応できる。鋳型に熔けた金属を流し込んで冷却させ、砂で出来た鋳型を壊して製品をとりだし、記録体１の表面を研磨仕上げする。
【０００９】
上記の砂型鋳造法により記録体１を製造すると、柔らかい粘土状の物に、人の手や足を押しつけて型取りを行う為、手の平の肌の皺などがそのまま転写される為、本人証明となる。
【００１０】
そして、手の平などの凹部２，３は磨かずに砂型の鋳肌のまま残せば、研磨仕上げされた表面との肌合いの違いによる対照が美しく面白い。
【００１１】
なお本発明においては、手形や足形の記された記録体１が金属製の為、その板厚をたっぷり取った場合、重量が重くなりすぎる事がある。その場合になるべく軽くする為に図２に示されたように裏側を抉って肉抜きをする必要がある。全体の厚みに極端な差があると、鋳造の際、いわゆる  ヒケ  が起きて表面が平らにならないので鏡面加工の為にはふさわしくない。よって大体でも良いので略均一厚みでなるべく厚さの薄いのが必要とされる。好ましい厚さは３〜１０ｍｍ程度である。
【００１２】
図３は記録体１の異なる面にそれぞれの左右の手形が記録された実施例を示している。これを製造する場合は、柔らかい粘土状で略板状の立方体をなし、自立可能な厚みを有する物の異なる２面、たとえば左右両面のそれぞれに左右の手を押しつけて左右両手形の凹部２を作り、手形の凹部２以外の面に記念となる文字や数字などを記した凹部３を有する物を原型とし、この原型より石膏等で転写を行い硬くて変形の無い原型を作り、鋳物砂で雌型を造り、金属を流し込んで成型し、凹部２，３を除く表面は研磨仕上げとする。
【００１３】
図４には本発明においては、記録体１が球の一部を切り取った様な略半球形状をなす例を示している。凹部２を除く表面は鏡面研磨仕上げとする。
【００１４】
図５には本発明の記録体１が略球状をなす記録体１の例を示している。凹部２を除く表面は艶消し仕上げとする。
【００１５】
次に本発明の記録体１の製造法について更に詳しく説明する。柔らかい粘土に手形などの凹みを付けてもこのままでは鋳造の為の鋳型は作れない。柔らかすぎて鋳物砂が食い込んでしまいただの一つの鋳型すら作れないのである。乾燥させて硬くなるのを待っていては時間はかかるし、乾燥による収縮の為に全体の大きさは小さくなるし、厚みが不均一の為に変形や反りや歪みや割れが生じてしまう。その為に柔らかい内に堅固な物に形を転写して鋳型の為の原型を製作する必要がある。
【００１６】
本発明ではまず、手形を押し文字などを記したら柔らかい粘土の周りにある、記録体の大きさと厚みを確定するべく設置された枠をはずす、次にこの上に水に溶いた石膏を流して硬化するのを待つ。硬化したらまだ柔らかい粘土を取り除く。この段階になって、初めは気づかなかった形の整ってない所を整形し直す。整形が終わったら離形剤を塗布し、水に溶いた石膏を流し込み、硬化するのを待つ。硬化後、ていねいに離形させ原型となるべき物を取り出す。これは始めの柔らかい粘土の時のと同じ形をした物である。又、この段階でも整形すべき所を修正し直す。この原型には樹脂入りの石膏を使用すればカチカチに硬い為に壊れにくい。次に裏面の肉厚の部分を削り落として全体が略均一の厚みでなるべく薄くなるように加工する。
【００１７】
手形や足形の凹んだ処以外の平らな面を鏡面研磨する場合、平らな面が少しでもデコボコしていると研磨するのに膨大な時間と手間がかかる事になる。できるだけ平面である事が望ましい。ところが、初めに柔らかい粘土状のものに手などを押しつけるが、手形の形をはっきりさせようと力を加えていくと押された粘土状のものは柔らかいが故に押された方向とは異なる方向に逃げていかざるをえない。
【００１８】
記録体を板状にする場合は、飾り額に入れる事も考慮してその厚みが１．５センチくらいに設定した場合、粘土の厚みに余裕が少ない為に横方向に粘土が逃げる事が顕著になる。手を粘土の上に置き力を加えていくと、力の加わり方に比例して手の形に沿った外側の部分が序々に盛り上がってくる。この盛り上がった所をそのままにして型取りを行うとデコボコした面を鏡面研磨せざるをえない。そこで、ある程度盛り上がってきたら一度手を離し、粘土を平らに整形し直す。つまり、盛り上がった所を削り取り、全体を面一にし直す。そして又、手を前と同じ位置に置き力を加えていくと手の外側の部分がまた盛り上がって来るので、初めと同じ様に平面になる様に手を離し粘土を整形し直す。これを数回繰り返す事によって、はっきりした形の手形と研磨し易い平面とが得られるのである。
【００１９】
それでも鋳造してみると真っ平らにはなっていない事がわかる。よって平面研削盤などで鏡面研磨に必要なレベルまで加工する必要がある。工作機械が高性能の場合は研削だけでも鏡面に仕上がるが通常はバフ研磨によっての作業を必要とする。
【００２０】
砂型鋳造法以外には、いわゆる金型によるダイキャスト製造法もある。又、マシニングによる切削で製造する方法もある。又、光造形法による製造法もある。
【発明の効果】
本発明による手形・足形の記録体は数多く造る事を可能とする為に金属により砂型鋳造法で製作されるが、凹部の砂の肌はそのまま残し凹部以外の表面を研磨仕上げすればそれぞれの面の肌合いの違いの差が面白く美しい。図１のように平板状の物であれば飾り額に入れて部屋の壁に掛ければ部屋の雰囲気が良くなる。図３、４、５に示すような形状とすれば机の上など身近に置いておけばいつでも触れる事ができて心が安まるのに役たつ。たとえば人気のある歌手やスポーツ選手などの手形などの記録体をそれぞれのファンが所有すれば、記録体の凹んだ処に自分の手を重ね合わせる事によってあこがれのスターと空間を共有する事になり今までにない体験を持つことになる。いわゆるシンクロ（同調）を味わう事になる。スターになり得た人達というのは、飛び抜けた才能と人並みはずれた強い運勢と人を惹き付けてやまない魅力と霊的なカリスマ性を併せ持つ希有な存在であって、一介のただの凡人である一ファンにとってはまさに雲の上の存在であるわけです。ただ遠くから観れるだけでも嬉しいのに手だけといえどもスターとシンクロ出来るという事はこのうえない喜びなのです。
人はいつもいい時ばかりでは無いものです。つらい時や悲しい時もあればさみしい時もあります。希望を無くしかける時もあるでしょう。そんな時にパワフルなあこがれのスターの手がかって在った同じ空間に我が手を重ね合わせれば、スターの元気で明るい周波数が伝わってくるかもしれない。元気になれるかもしれない。明るくなれるかもしれない。また明日、学校へいけるかもしれない。会社へ行けるかもしれない。友達にまた会いにいけるかもしれない。そしてまた明日も生きて行く元気と勇気が湧いて来るかもしれない。そうやってみんなが生き甲斐の在る一度しかない人生を楽しく暮らせる事のほんの一助にでもなる事があるならば本発明の存在も意味があるというものです。いろんな人達、多くの人達皆の上に幸せを！！
【図面の簡単な説明】
【図１】本発明の実施例になる手形の記録体の斜視図である。
【図２】手形の記録体の厚みを薄くした実施例を示す略断面図である。
【図３】左右両面に人の左右の手形のある記録体の実施例を示す斜視図である。
【図４】半球状をなす人の手形のある記録体の実施例を示す斜視図である。
【図５】球状をなす人の手形のある記録体の実施例を示す斜視図である。
【符号の説明】
１    記録体
２    手形の凹部
３        文字の凹部
【図１】
2005001273.tif 000003
【図２】
2005001273.tif 000004
【図３】
2005001273.tif 000005
【図４】
2005001273.tif 000006
【図５】
2005001273.tif 000007